(57)【特許請求の範囲】
【請求項１】
第１のハンドル部と、
第２のハンドル部と、
前記第１のハンドル部が接続する第１の刃部と、
前記第２のハンドル部が接続する第２の刃部とを有するハサミであって、
前記第１の刃部の刃線は、前記第２の刃部の刃線より長くし、根元側に凹形状に緩やかにカーブする曲線で、切断対象物が逃げるのを引き込む谷部が形成され、前記谷部に続いて刃先に向かってなだらかな丸みの凸形状で、前記根元側の斜辺で前記切断対象物を押さえ込んで切るための山部が形成され、前記山部に続いて刃先に向かって峰側に下がって開くよう傾斜する傾斜部が先端まで連続して形成され、前記谷部、前記山部及び前記傾斜部が連続したなだらかな曲線で形成されているハサミ。
【請求項２】
第１のハンドル部の端部には、指が挿入されるループ形状の第１の指環が設けられ、第２のハンドル部の端部には、指が挿入されるループ形状の第２の指環が設けられている請求項１記載のハサミ。
【請求項３】
第１の指環の指が接触する側に形成される第１の接触部と第２の指環の指が接触する側に形成される第２の接触部は、第１のハンドル部又は第２のハンドル部の素材より柔らかい素材を用いている請求項２記載のハサミ。
【請求項４】
第１のハンドル部と第２のハンドル部と接触する部分にヒットポイントを設けた請求項１乃至３のいずれか記載のハサミ。
【発明の詳細な説明】
【技術分野】
【０００１】
本発明は、ハサミに係り、特に、カシメの位置をずらして、小さい力で効率よく、厚紙等を切り易くするハサミに関する。
【背景技術】
【０００２】
［従来の技術］
従来のハサミは、二つの刃体が交差する位置に、二つの刃体を回転可能に連結するカシメが形成される構成となっている。
【０００３】
［関連技術］
尚、関連する先行技術として、特開平１０−１５５３６３号公報「剪定鋏」（石原正俊）［特許文献１］、特開２０１０−１１５２１７号公報「ハサミ」（池原鈴夫）［特許文献２］、特開２００５−０００２４３号公報「ハサミ及びその製造方法」（長谷川刃物株式会社）［特許文献３］がある。
【０００４】
特許文献１には、剪定鋏において、支点を両刃からそれぞれ延長する二本の柄の中間と、両刃の交点とを結んだ線から偏心させた位置に設けることが示されている。
【０００５】
特許文献２には、ハサミにおいて、静刃と動刃の軸支をヘリカルギアとスペーサーで構成することで、静刃と動刃の支点を予め別々の位置に設定できることが示されている。
【０００６】
特許文献３には、両面テープの剥離紙をハーフカットするハサミにおいて、一方のハサミ体をＬ字型に屈曲させ、その屈曲したハサミ体と他のハサミ体が交差する部分に軸支点を設けたことが示されている。
【先行技術文献】
【特許文献】
【０００７】
【特許文献１】特開平１０−１５５３６３号公報
【特許文献２】特開２０１０−１１５２１７号公報
【特許文献３】特開２００５−０００２４３号公報
【発明の概要】
【発明が解決しようとする課題】
【０００８】
しかしながら、上記従来のハサミでは、単純に刃を擦り合わせて対象物を切る構成であって、対象物を切る際により軽い力で効率の良い切断が実現できないという問題点があった。
【０００９】
本発明は上記実情に鑑みて為されたもので、対象物をより軽い力で効率の良い切断を実現でき、切り易いハサミを提供することを目的とする。
【課題を解決するための手段】
【００１０】
上記従来例の問題点を解決するための本発明は、第１のハンドル部と、第２のハンドル部と、第１のハンドル部が接続する第１の刃部と、第２のハンドル部が接続する第２の刃部とを有するハサミであって、第１の刃部の刃線は、第２の刃部の刃線より長くし、根元側に凹形状に緩やかにカーブする曲線で、切断対象物が逃げるのを引き込む谷部が形成され、谷部に続いて刃先に向かってなだらかな丸みの凸形状で、根元側の斜辺で切断対象物を押さえ込んで切るための山部が形成され、山部に続いて刃先に向かって峰側に下がって開くよう傾斜する傾斜部が先端まで連続して形成され、谷部、山部及び傾斜部が連続したなだらかな曲線で形成されている。
【００１２】
本発明は、上記ハサミにおいて、第１のハンドル部の端部には、指が挿入されるループ形状の第１の指環が設けられ、第２のハンドル部の端部には、指が挿入されるループ形状の第２の指環が設けられている。
【００１３】
本発明は、上記ハサミにおいて、第１の指環の指が接触する側に形成される第１の接触部と第２の指環の指が接触する側に形成される第２の接触部が、第１のハンドル部又は第２のハンドル部の素材より柔らかい素材を用いている。
【００１４】
本発明は、上記ハサミにおいて、第１のハンドル部と第２のハンドル部とが接触する部分にヒットポイントを設けている。
【発明の効果】
【００１５】
本発明によれば、第１のハンドル部と、第２のハンドル部と、第１のハンドル部が接続する第１の刃部と、第２のハンドル部が接続する第２の刃部とを有するハサミであって、第１の刃部の刃線は、第２の刃部の刃線より長くし、根元側に凹形状に緩やかにカーブする曲線で、切断対象物が逃げるのを引き込む谷部が形成され、谷部に続いて刃先に向かってなだらかな丸みの凸形状で、根元側の斜辺で切断対象物を押さえ込んで切るための山部が形成され、山部に続いて刃先に向かって峰側に下がって開くよう傾斜する傾斜部が先端まで連続して形成され、谷部、山部及び傾斜部が連続したなだらかな曲線で形成されているハサミとしているので、切断対象物が逃げるのを谷部で引き込み、山部の根元側の斜辺で押さえ込んで切り、山部から刃先までの傾斜部を用いて長いストロークで一気に切ることができるため、対象物をより軽い力で効率的に切断でき、切り易いという効果がある。
【図面の簡単な説明】
【００１６】
【図１】本ハサミの平面図である。
【図２】本ハサミの側面図である。
【図３】本ハサミの底面図である。
【図４】本ハサミの背面図である。
【図５】カットの様子（１）を示す図である。
【図６】カットの様子（２）を示す図である。
【図７】カットの様子（３）を示す図である。
【図８】第１の刃部１ａの刃線の形状を示す説明図である。
【発明を実施するための形態】
【００１７】
本発明の実施の形態について図面を参照しながら説明する。
［実施の形態の概要］
本発明の実施の形態に係るハサミは、第１のハンドル部と、第２のハンドル部と、第１のハンドル部が接続する第１の刃部と、第２のハンドル部が接続する第２の刃部とを有するハサミであって、第１の刃部の刃線は、根元側に凹形状の谷部が形成され、谷部に続いて刃先に向かって凸形状の山部が形成され、山部に続いて刃先に向かって峰側に傾斜する傾斜部が先端まで連続して形成されているものとしているので、対象物をより軽い力で効率的に切断を実現でき、切り易いハサミを実現できる。
【００１８】
［本ハサミ：図１〜４］
本発明の実施の形態に係るハサミ（本ハサミ）について図１〜４を参照しながら説明する。図１は、本ハサミの平面図であり、図２は、本ハサミの側面図であり、図３は、本ハサミの底面図であり、図４は、本ハサミの背面図である。尚、図２では、左側面を示している。
本ハサミは、図１〜４に示すように、刃部１と、カシメ２と、ハンドル部３とを基本的に備えている。
【００１９】
［本ハサミの各部］
［第１，２の刃部１ａ，１ｂ］
第１の刃部１ａと第２の刃部１ｂは、刃物用ステンレス鋼で構成されており、アームを備えている。アームは、カシメ２を中心として刃先とは反対側に延び、第１のハンドル部３ａと第２のハンドル部３ｂに接続するようになっている。
【００２０】
本ハサミでは、図１と図４を比較して分かるように、第１の刃部１ａの刃線が第２の刃部１ｂの刃線より長く形成されている。図１では、カシメ２の中心点から右横方向の位置が第１の刃部１ａの刃線における根元側の開始位置となっており、図４では、カシメ２より刃先側が第２の刃部１ｂの刃線における根元側の開始位置となっている。これは、後述するように、第２の刃部１ｂの刃線に対して、第１の刃部１ａが大きくスイングして、あたかも包丁で引き切りするかのように刃線が対象物に接した状態を長く保ちながら切ることになるので、第１の刃部１ａの刃線を長くしている。
【００２１】
尚、第１，２の刃部１ａ，１ｂをフッ素コートしてもよく、チタンコートしてもよい。
フッ素コートした場合には、粘着テープを切ってもベタつきにくいものである。
チタンコートした場合には、耐久性が高くなり、シャープな切れ味が持続できるものである。
【００２２】
［第１，２のハンドル部３ａ，３ｂ］
第１のハンドル部３ａと第２のハンドル部３ｂは、ＡＢＳ樹脂（アクリロニトリル［Acrylonitrile］、ブタジエン［Butadiene］、スチレン［Styrene］共重合合成樹脂）等で形成される。
【００２３】
親指で操作する第１のハンドル部３ａは、第１の刃部１ａに接続している。具体的には、第１の刃部１ａのアーム端部が第１のハンドル部３ａに挿入されて固定される。
親指を除く他の指で操作する第２のハンドル部３ｂは、第２の刃部１ｂに接続している。具体的には、第２の刃部１ｂのアーム端部が第２のハンドル部３ｂに挿入されて固定される。
【００２４】
第１のハンドル部３ａの刃先とは反対側の端部は、ループ形状となっており、親指が挿入される第１の指環が形成されている。第１の指環は、親指が挿入されるので、円形又はたまご形をしている。
そして、第１の指環の指が接触する側の部分（第１の接触部分）４ａは、第１のハンドル部３ａに比べて柔らかい素地で形成されている。第１の接触部分４ａは、例えば、エラストマー樹脂等を用いている。
【００２５】
更に、第１のハンドル部３ａには、第２のハンドル部３ｂと接触する部分にヒットポイント５が形成されている。ここで、第１のハンドル部３ａ側のヒットポイント５は、ＡＢＳ樹脂の凸部になっており、当該凸部が接触する第２のハンドル部３ｂ側におけるヒットポイントの受け部は、エラストマー樹脂等で凹部になっている。
【００２６】
また、第２のハンドル部３ｂの刃先とは反対側の端部は、ループ形状となっており、親指を除く他の指が挿入される第２の指環が形成されている。尚、第２の指環は、第１の指環に比べて複数の指が挿入されるため、第１の指環より大きく、楕円形状で第１のハンドル部３ａ側が引っ込んだ形状となっている。
【００２７】
そして、第２の指環の指が接触する側の部分（第２の接触部分）４ｂは、第２のハンドル部３ｂに比べて柔らかい素地で形成されている。第２の接触部分４ｂは、例えば、エラストマー樹脂等を用いている。
【００２８】
本ハサミでは、第１のハンドル部３ａを表と裏でカシメ２まで延長してアームを覆うように形成しているが、アームを覆わない形状であってもよい。
また、図１では、第１の刃部１ａが手前側となり、第２の刃部１ｂが奥側になっているので、図１の表側において第１のハンドル部３ａがカシメ２まで延びてアームを覆うような形状とすると共に、図１の裏側において第２のハンドル部３ｂがカシメ２まで延びてアームを覆うような形状としてもよい。
【００２９】
［カシメ２］
第１の刃部１ａと第２の刃部１ｂとが交差する位置Ｐに対して、第２のハンドル部３ｂ側の横方向に第１の刃部１ａを突出させた第１の突出部を形成する。第１の突出部は、第１の刃部１ａの刃線（カッティングエッジ）を有する部分の幅を超えて峰の外側に突出して形成される。
【００３０】
また、第１の刃部１ａと第２の刃部１ｂとが交差する位置Ｐに対して、第２のハンドル部３ｂ側の横方向に第２の刃部１ｂを突出させた第２の突出部を形成する。第２の突出部は、第２の刃部１ｂの刃線（カッティングエッジ）を有する部分の幅を超えて刃線の外側に突出して形成される。
【００３１】
第１の突出部と第２の突出部を重ね合わせた状態で、第１の突出部と第２の突出部に貫通孔が形成されており、その貫通孔に軸を貫通させ、両端を固定して第１の突出部と第２の突出部が回転可能になるようカシメ２が形成される。
【００３２】
カシメ２により、その位置を中心軸として第１の刃部１ａと第２の刃部１ｂが動作することになる。
尚、カシメ２の固定部を覆うように樹脂で蓋をしている。樹脂としては、例えば、ＰＯＭ樹脂（ポリオキシメチレン／ポリアセタール樹脂：polyoxymethylene / polyacetal）を用いている。
【００３３】
［本ハサミの動作：図５〜７］
次に、本ハサミの動作について図５〜７を参照しながら説明する。図５は、カットの様子（１）を示す図であり、図６は、カットの様子（２）を示す図であり、図７は、カットの様子（３）を示す図である。様子（１）が、厚紙１０をきり始めの状態で、様子（２）が、厚紙１０を切り進めた状態で、様子（３）が、厚紙１０を先（奥）まで切った状態を表している。
【００３４】
図５に示すように、本ハサミを開いた場合に、カシメ２の位置を下側にずらしているため、第１の刃部１ａは根元まで開いた状態となる。そのため、本ハサミでは、第１の刃部１ａの刃線を根元まで形成するようにし、第２の刃部１ｂの刃線より長くしている。
尚、図５の状態では、厚紙１０を切っても図の手前と奥の前後方向に出っ張っている（突出している）カシメ２が邪魔になることはない。
【００３５】
図６に示すように、厚紙１０を切り進めた場合に、カシメ２は厚紙１０の下側に位置する。本ハサミの利用者は通常上からカット部分を見ながらカット動作を行うため、図６の手前と奥の前後方向に出っ張っているカシメ２が邪魔にならずに、厚紙１０のカット部分を見ることができ、切り易い。
また、薄紙であれば、切り進めるに従って、切れた紙が下側に垂れ、カシメ２の下側に位置するようになるため、カット部分を更に見易くなり、切り易くなるものである。
【００３６】
更に、図７に示すように、厚紙１０を奥方向（図の左方向）に切り進めると、カシメ２は完全にカットされた厚紙１０の下側に位置することになるため、カットした厚紙１０が、図７の手前と奥の前後方向に出っ張っているカシメ２に当たることがなく、厚紙１０を容易に切ることができる。
【００３７】
また、通常のハサミでは、上刃と下刃がほぼ上下対称の動きをして紙を切り進むが、本ハサミでは、上刃となる第２の刃部１ｂはあまり動かず、下刃となる第１の刃部１ａが大きく動いて、紙を切り進む。
そのため、本ハサミでは、第２のハンドル部３ｂよりも第１のハンドル部３ａを多く動かすことになるが、カシメ２の位置を下側にずらしたことにより、力点となる第１のハンドル部３ａと支点となるカシメ２との間の距離を長くして、これによって小さい力で第１の刃１ａを大きく動かすことができるようにしている。
【００３８】
加えて、本ハサミでは、第１のハンドル部３ａに親指を入れ、第２のハンドル部３ｂにその他の指を入れて、第１及び第２のハンドル部３ａ，３ｂを動かしてカット動作を行うものであるが、指を動かす範囲（掌を開いたり閉じたりする範囲の長さ）内で、第1のハンドル部３ａの長さを長くするには、カシメ２の位置を、図７において、第１及び第２の刃部の刃線が設けられている部分の幅より更に下側にずらすのが最適となる。
【００３９】
第１の刃部１ａの動きとしては、図５〜７において、カシメ２の中心点を通る垂直方向の線（垂直線）を想定すると、刃線の根元が、図５では垂直線より前方に位置し、図６では垂直線に近づいて位置し、図７では垂直線に更に接近して位置している。つまり、刃線の根元と垂直線との距離は、図５の例、図６の例、図７の例の順で短くなっている。これは、第１の刃部１ａにおける刃線の根元が、カシメ２を中心として回転し、弧を描くためで、あたかも第２の刃部１ｂに対して第１の刃部１ａを引いているかのように動作している。
【００４０】
第１の刃部１ａを大きく広げた状態で、切断対象となる紙を第１の刃部１ａの根元近くに当てて切り始めると、第１のハンドル部３ａを閉じる動作によって作用点（切断を行う点）が第１の刃部１ａの刃元から刃先に向かって移動していく。本ハサミでは、第１の刃部１ａにおける刃線の根元が、カシメ２を中心として回転することで、カット動作において第２の刃部１ｂにおける作用点が移動する距離に比べ、第１の刃部１ａにおける作用点が移動する距離を通常のハサミより長くすることができる。
【００４１】
更に、本ハサミでは、第１のハンドル部３ａからの力を効率よく第１の刃部１ａに伝達することができるため、通常のハサミに比べて、刃元から刃先まで刃全体を使って紙を容易に切断できるものである。
【００４２】
例えば、通常のハサミで厚紙１０を切ろうとすると、力が十分伝わる刃元部分のみを使って、少し切り進んでは再び刃を広げ、紙を刃元に当ててまた少し切り進む、といった動作を繰り返して、ハサミ全体を押すようにして切断しなければならない。
【００４３】
これに対して、本ハサミでは、小さい力による１回の動作で、作用点を刃元から刃先に向かってスムーズに移動させて、第２の刃部１ｂに対して、第１の刃部１を大きくスイングするよう動作させ、刃元に当てた厚紙１０を大きなストロークで一気に長く切ることができる。
【００４４】
つまり、本ハサミでは、第１の刃部１ａを細かく開けたり閉じたりしなくても、図５〜図７に示すように、第１の刃部１ａを下から上に大きく動かす（スイングさせる）ことで、第１の刃部１ａが厚紙１０を下側から引くように楽にカットすることができるものである。
【００４５】
このように、本ハサミは、カシメ２の位置を下側にずらすことによって、カット動作において第２の刃部１ｂにおける作用点が移動する距離に対して第1の刃部１ａにおける作用点が移動する距離が長くなるため、第２の刃部１ｂの刃線に対して第１の刃部１ａの刃線が長く接することになり、あたかも包丁で引き切りするように刃線を長く使って切る動作（引き切り動作）を可能とし、通常のハサミに比べて、厚紙１０を軽い力で効率的にカットできる引き切り効果を実現できるものである。
【００４６】
［第１の刃部の形状：図８］
次に、第１の刃部１ａの刃線の形状について、図８を用いて具体的に説明する。図８は、第１の刃部１ａの刃線の形状を示す説明図である。
図５〜７に示したように、本ハサミを使用する場合には、第１の刃部１ａが下刃となり、第２の刃部１ｂが上刃となっている。
【００４７】
そして、第２の刃部１ｂ（上刃）の刃線に対して第１の刃部１ａ（下刃）の刃線は、図８に示すように、使用状態において、根元から刃先に向かって下側に凹形状に緩やかにカーブする曲線の谷部１ｘを形成し、そして、なだらかな凸形状の山部１ｙを形成して、更に、刃先に向けて峰側に下がって行く形状（開くよう傾斜する形状）を備えた傾斜部１ｚを形成している。
第１の刃部１ａ（下刃）の刃線において、山部１ｙから刃先に向かっての形状は、直線であってもよいし、曲線であってもよい。
【００４８】
第１の刃部１ａ（下刃）をこのような形状とすることにより、紙を切る場合、対象の紙が逃げるのを谷部１ｘに引き込み、山部１ｙの根元側の斜辺で紙を押さえ込んで切り（図６参照）、更に、それに続いて、山部１ｙから刃先まで使って長いストロークで一気に切る（図７参照）ことができるようになっている。
つまり、本ハサミの第１の刃部１ａの形状は、カット対象の紙を逃さず、押さえ込んで保持することにより、紙を小さい力で安定して切ることができるものである。
【００４９】
［実施の形態の効果］
本ハサミによれば、親指で操作する第１のハンドル部３ａと、親指を除く他の指で操作する第２のハンドル部３ｂと、第１のハンドル部３ａが接続する第１の刃部１ａと、第２のハンドル部３ｂが接続する第２の刃部１ｂとを有し、第１の刃部１ａと第２の刃部１ｂが交差する位置Ｐから第２のハンドル部３ｂ側に第１の刃部１ａを突出させる第１の突出部と、第１の刃部１ａと第２の刃部１ｂが交差する位置Ｐから第２のハンドル部３ｂ側に第２の刃部１ｂを突出させる第２の突出部と、第１の突出部と第２の突出部において、当該両突出部を回転可能に連結するカシメ２とを設けたものとしているので、二本の刃部１ａ，１ｂが交差する位置Ｐより更に外側にカシメ２を設けて、第２の刃部１ｂの刃線に対して第１の刃部１ａの刃線が長く接してカット動作を行うことで、対象物をより軽い力で効率的に切断を実現でき、更に厚紙１０等を切る際にカシメ２が邪魔にならず、切り易いという効果がある。
【産業上の利用可能性】
【００５０】
本発明は、厚紙等をより軽い力で効率よく切断でき、切り易いハサミに好適である。
【符号の説明】
【００５１】
１ａ…第１の刃部、  １ｂ…第２の刃部、  １ｘ…谷部、  １ｙ…山部、  １ｚ…傾斜部、  ２…カシメ、  ３ａ…第１のハンドル部、  ３ｂ…第２のハンドル部、  ４ａ…第１の接触部、  ４ｂ…第２の接触部、  ５…ヒットポイント、  １０…厚紙
【図１】
0006525351.tif 000002
【図２】
0006525351.tif 000003
【図３】
0006525351.tif 000004
【図４】
0006525351.tif 000005
【図５】
0006525351.tif 000006
【図６】
0006525351.tif 000007
【図７】
0006525351.tif 000008
【図８】
0006525351.tif 000009